(57)【要約】【課題】フィルタの背面側からろ過面側に空気を通過させて、フィルタに付着した塵埃を除去可能な電気掃除機を提案する。【解決手段】塵埃分離集塵部１９は、筒カバー部３３と、回転分離集塵部２８とを備える。回転分離集塵部２８は、筒枠体部５２と、プリーツフィルタ筒部５３と、ネットフィルタ筒部５４と、集塵蓋部５５とを備える。ネットフィルタ筒部５４は、プリーツフィルタ筒部５３に収容される。プリーツフィルタ筒部５３およびネットフィルタ筒部５４は、筒枠体部５２に収容され、集塵蓋部５５によって保持される。【選択図】  図５
2010063817.tif 000002
【特許請求の範囲】
【請求項１】
接続口を有する掃除機本体と、
前記掃除機本体に収容された電動送風機と、
前記掃除機本体に着脱自在に収容された塵埃分離集塵部と、
前記塵埃分離集塵部に回動自在に収容された筒状の回転分離集塵部と、
前記回転分離集塵部を回動させる電動機とを備え、
前記塵埃分離集塵部は、
略筒状に形成され、側面に吸入口を有する筒カバー部を備え、
前記回転分離集塵部は、
筒状に形成されたプリーツフィルタ部と、
前記プリーツフィルタ部に収容され、前記接続口に連通されたネットフィルタ筒部と、
前記ネットフィルタ筒部の側面に形成された細塵導入口に設けられた開閉弁とを備え、
前記筒カバー部には、
前記吸入口と前記回転分離集塵部の外周面の一部分とを連通させる吸気風路と、前記回転分離集塵部の外周面の他の部分と前記電動送風機の吸込側とを連通させる排気風路とが区画される区画壁が設けられたことを特徴とする電気掃除機。
【請求項２】
前記筒カバー部は、
前記接続口に連通された開口の開閉弁と、
前記吸入口の開閉弁とを備えたことを特徴とする請求項１に記載の電気掃除機。
【請求項３】
前記筒カバー部は、
前記接続口と前記吸入口とを連通させるバイパス管を備えたことを特徴とする請求項１に記載の電気掃除機。
【請求項４】
前記筒カバー部は、
前記ネットフィルタ筒部および前記バイパス管のいずれかと、前記接続口とを連通させる切換弁を備えたことを特徴とする請求項３に記載の電気掃除機。
【発明の詳細な説明】
【技術分野】
【０００１】
本発明は、電動機によって回動する回転清掃体を有する吸込口体を備えた電気掃除機に関する。
【背景技術】
【０００２】
従来の電気掃除機は、一般に電動送風機が収容された掃除機本体と、掃除機本体に連通された集塵ホースと、集塵ホースに連通された手元操作管と、手元操作管に連通された延長管と、延長管に連通された吸込口体とを備える。吸込口体には被清掃面に対向させた吸込開口が形成される。
【０００３】
従来の電気掃除機を運転すると、電動送風機の作動によって掃除機本体内には負圧が発生する。この負圧は集塵ホースと手元操作管と延長管とを介して吸込口体に作用する。そうすると、電気掃除機は吸込口体の吸込開口から床などの被掃除面に溜まった塵埃を空気とともに吸い込んで被掃除面を掃除する。吸込口体に吸い込まれた含塵空気は、掃除機本体に内装された慣性分離方式あるいはフィルタなどの塵埃分離手段によって空気と塵埃とに分離される。
【０００４】
含塵空気から分離された塵埃は、集塵室に案内されて蓄積される。他方、塵埃が分離された清浄な空気は、電動送風機に吸い込まれ、掃除機本体の排気口から吐出される。
【０００５】
ここで、含塵空気から塵埃をろ過分離する塵埃分離手段には塵埃が付着する。特に含塵空気から細塵を濾過分離するプリーツフィルタなどの目の細かいフィルタには、細塵が付着して残留する。
【０００６】
そこで、特許文献１に記載の電気掃除機では、その停止動作に連続させて、プリーツフィルタのろ過面に沿わせて空気を流す。このプリーツフィルタのろ過面に沿う空気の流れによって、プリーツフィルタに付着した細塵は除去される。
【特許文献１】特開２００６−１６４９４７号公報
【発明の開示】
【発明が解決しようとする課題】
【０００７】
しかし、特許文献１に記載の電気掃除機のように、プリーツフィルタのろ過面を沿う空気の流れだけでは、プリーツフィルタに付着した細塵を十分に除去することは困難である。
【０００８】
本発明は、フィルタの背面側からろ過面側に空気を通過させて、フィルタに付着した塵埃を除去可能な電気掃除機を提案する。
【課題を解決するための手段】
【０００９】
前記の課題を解決するため本発明では、接続口を有する掃除機本体と、前記掃除機本体に収容された電動送風機と、前記掃除機本体に着脱自在に収容された塵埃分離集塵部と、前記塵埃分離集塵部に回動自在に収容された筒状の回転分離集塵部と、前記回転分離集塵部を回動させる電動機とを備え、前記塵埃分離集塵部は、略筒状に形成され、側面に吸入口を有する筒カバー部を備え、前記回転分離集塵部は、筒状に形成されたプリーツフィルタ部と、前記プリーツフィルタ部に収容され、前記接続口に連通されたネットフィルタ筒部と、前記ネットフィルタ筒部の側面に形成された細塵導入口に設けられた開閉弁とを備え、前記筒カバー部には、前記吸入口と前記回転分離集塵部の外周面の一部分とを連通させる吸気風路と、前記回転分離集塵部の外周面の他の部分と前記電動送風機の吸込側とを連通させる排気風路とが区画される区画壁が設けられたことを特徴とする。
【発明の効果】
【００１０】
本発明は、フィルタの背面側からろ過面側に空気を通過させて、フィルタに付着した塵埃を除去可能な電気掃除機を提案できる。
【発明を実施するための最良の形態】
【００１１】
本発明に係る電気掃除機の実施形態について添付図面を参照して説明する。
【００１２】
［第１の実施形態］
本発明に係る電気掃除機の第１実施形態について、図１から図９を参照して説明する。
【００１３】
図１は、本発明の第１実施形態に係る電気掃除機の外観を示した斜視図である。
【００１４】
図１に示すように、本実施形態に係る電気掃除機１は、掃除機本体２と、集塵ホース３と、手元操作管４と、把持部５と、操作部６と、延長管７と、吸込口体８とを備える。
【００１５】
掃除機本体２には接続口２ａが形成される。接続口２ａには集塵ホース３の一端が着脱自在に接続される。掃除機本体２の上部には、開閉自在な蓋ケース１０が設けられる。掃除機本体２の前縁上部には、蓋ケース１０を閉じた状態で保持する蓋ケースクランプ１１が設けられる。掃除機本体２の内部には、電動送風機１２が収容される。掃除機本体２には電動送風機１２の排気が吐出される本体排気口（図示省略）が形成される。掃除機本体２は、電源コード１３を備える。電源コード１３の自由端部には、電源プラグ１４が形成される。
【００１６】
集塵ホース３は可撓性を有し、湾曲可能な細長略円筒状に形成される。集塵ホース３の一端は接続口２ａに着脱可能に接続されて、掃除機本体２の内部に連通される。
【００１７】
手元操作管４の一端は集塵ホース３の他端に設けられ、集塵ホース３を介して掃除機本体２の内部に連通される。
【００１８】
把持部５は電気掃除機１の使用者が把持して電気掃除機１を操作するものである。把持部５は手元操作管４の他端部から、集塵ホース３が設けられた手元操作管４の一端部に向かって、湾曲させて突設される。
【００１９】
操作部６は把持部５に設けられる。操作部６が電気掃除機１の使用者に操作されると、電気掃除機１は複数の駆動モードに設定される。操作部６は電気掃除機１の運転を停止させる切スイッチ６ａや電気掃除機１の運転を開始させる起動スイッチ６ｂなどを有する。
【００２０】
延長管７は、伸縮可能な細長略円筒状に形成される。延長管７の一端は手元操作管４の他端に着脱可能に接続されて、手元操作管４および集塵ホース３を介して掃除機本体２の内部に連通される。
【００２１】
吸込口体８は、延長管７の一端に着脱可能に接続されて、延長管７、手元操作管４および集塵ホース３を介して掃除機本体２の内部に連通される。
【００２２】
図２は、本発明の第１実施形態に係る電気掃除機の掃除機本体の側面図である。
【００２３】
図２に示すように、電気掃除機１の掃除機本体２は、蓋ケース１０と、後輪１６とを備える。
【００２４】
後輪１６は、掃除機本体２の両側面の後部に左右一対に設けられる。
【００２５】
蓋ケース１０は、掃除機本体２の上部を覆うとともに、掃除機本体２の側部を部分的に覆う。また、蓋ケース１０は、後輪１６の側部を覆う。さらに、蓋ケース１０は、後輪１６の車軸回りに回動可能に保持される。蓋ケース１０は、トーションばねなどの弾性体（図示省略）によって開く方向に付勢される。蓋ケース１０は、蓋ケースクランプ１１が操作されると、後輪１６の車軸回りに回動して開いた状態になる（図２中、二点鎖線）。
【００２６】
図３は、本発明の第１実施形態に係る電気掃除機の掃除機本体を示した斜視図である。
【００２７】
なお、図３は、蓋ケース１０を省略した掃除機本体を示した斜視図である。
【００２８】
図３に示すように、掃除機本体２の前側には、上部開口１７を有する凹状の塵埃分離集塵部収容部１８が形成される。塵埃分離集塵部収容部１８には、塵埃分離集塵部１９が収容される。
【００２９】
図４は、本発明の第１実施形態に係る電気掃除機の掃除機本体を示した平面図である。
【００３０】
図４に示すように、掃除機本体２の塵埃分離集塵部収容部１８は、接続口２ａが形成された前壁部２１と、電動送風機１２の吸込側に連通された後壁部２２と、前後方向に延ばされた左右一対の側壁部２３と、前後方向に延ばされて下方に位置された底面部２４とを有する。
【００３１】
塵埃分離集塵部１９の前端は、前壁部２１に当接されて接続口２ａに連通される。塵埃分離集塵部１９の後端は、後壁部２２に当接されて電動送風機１２の吸気側に連通される。塵埃分離集塵部１９は筒状に形成される。塵埃分離集塵部１９の側壁２６は、吸入口２７を有する。塵埃分離集塵部１９には、回転分離集塵部２８が収容される。回転分離集塵部２８は、塵埃分離集塵部１９の長手軸回りに回動自在に収容される。
【００３２】
後壁部２２には、電動機２９が設けられる。電動機２９は回転分離集塵部２８の回動力を発生する駆動源である。また、電動機２９は、ギアボックス３０を介して回転分離集塵部２８の歯車３１に連結される。電動機２９の駆動力は、ギアボックス３０によって回転分離集塵部２８に伝達される。
【００３３】
図５は、本発明の第１実施形態に係る電気掃除機の掃除機本体を部分的に示した縦断面図である。
【００３４】
図６は、本発明の第１実施形態に係る電気掃除機の回転分離集塵部を分解して示した斜視図である。
【００３５】
図５および図６に示すように、掃除機本体２に収容された塵埃分離集塵部１９は、筒カバー部３３と、回転分離集塵部２８とを備える。筒カバー部３３は、接続口２ａと電動送風機１２の吸気側とを連通させる。筒カバー部３３の内部には、回転分離集塵部２８が回動自在に収容される。回転分離集塵部２８は、接続口２ａと電動送風機１２の吸気側との間に位置される。
【００３６】
筒カバー部３３は、吸込管部３４と、集塵部保持筒部３５と、吸排気管部３６とを備える。
【００３７】
吸込管部３４の一端は、塵埃分離集塵部収容部１８の前壁部２１に当接される。他方、吸込管部３４の他端は、集塵部保持筒部３５の底面部３８に一体に形成されて、集塵部保持筒部３５に連通される。吸込管部３４には、掃除機本体２に吸い込まれた空気が案内される吸込風路４０が形成される。吸込風路４０は、前壁部２１を介して接続口２ａに連通される。
【００３８】
集塵部保持筒部３５は一端が開口された有底筒状に形成され、回転分離集塵部２８を回動自在に保持する。集塵部保持筒部３５の内周径は、回転分離集塵部２８の外周径よりも若干大きく形成される。集塵部保持筒部３５の底面部３８は、吸込管部３４の吸込風路４０に連通された開口４２を有する。他方、集塵部保持筒部３５の開口端部４３は、吸排気管部３６に連通される。
【００３９】
吸排気管部３６は、集塵部保持筒部３５の開口端部４３に一体に形成される。吸排気管部３６は筒状に形成される。吸排気管部３６の内周径は、集塵部保持筒部３５の内周径よりも大きく、かつ、回転分離集塵部２８の外周径よりも大きく形成される。吸排気管部３６の側壁４５は、吸入口２７を有する。吸排気管部３６の内周面と、回転分離集塵部２８の外周面との間には、吸入口２７の周縁に区画された吸気風路４６と、その他の部位に区画された排気風路４７とが形成される。吸排気管部３６の開口端部４９は、塵埃分離集塵部収容部１８の後壁部２２に当接される。排気風路４７は、開口端部４９から後壁部２２を経て電動送風機１２の吸込側に連通される。吸気風路４６は、吸入口２７と回転分離集塵部２８の外周面の一部分とを連通させる。排気風路４７は、回転分離集塵部２８の外周面の他の部分と電動送風機１２の吸込側とを連通させる。吸排気管部３６の内周面には、吸入口２７の周縁部から径方向内側に突設された区画リブ５１が設けられる。区画リブ５１は、吸排気管部３６の内周面と、回転分離集塵部２８の外周面との間に、吸気風路４６と排気風路４７とを区画する区画壁である。
【００４０】
回転分離集塵部２８は、筒枠体部５２と、プリーツフィルタ筒部５３と、ネットフィルタ筒部５４と、集塵蓋部５５とを備える。ネットフィルタ筒部５４は、プリーツフィルタ筒部５３に収容される。プリーツフィルタ筒部５３およびネットフィルタ筒部５４は、筒枠体部５２に収容され、集塵蓋部５５によって保持される。
【００４１】
筒枠体部５２は、一端が開口された有底筒状に形成された枠体である。筒枠体部５２は、集塵部保持筒部３５に嵌め込まれた吸込側筒部５７と、プリーツフィルタ筒部５３およびネットフィルタ筒部５４の挿入口５８を有するリング部５９と、吸込側筒部５７およびリング部５９の連結壁部６０とを備える。
【００４２】
吸込側筒部５７は底面部６２を有する。底面部６２は、吸込口６３を有する。吸込口６３は、集塵部保持筒部３５の開口４２を経て吸込管部３４に連通される。吸込側筒部５７の側面部６４の外周径は、集塵部保持筒部３５の内周径よりも若干小さく形成される。側面部６４には、周方向に略等しく離間された複数の、例えば３つのローラ収容部６６が形成される。それぞれのローラ収容部６６には、ローラ６７が設けられる。ローラ６７は、集塵部保持筒部３５の内周面に筒枠体部５２を保持する車輪である。
【００４３】
リング部５９には、集塵蓋部５５が回動自在にヒンジ結合されたヒンジ受部６８が設けられる。
【００４４】
連結壁部６０は、筒枠体部５２の周方向に複数、例えば略９０°毎に４つの連結壁部６０が設けられる。それぞれの連結壁部６０と吸込側筒部５７とリング部５９との間には、開口７０が形成される。すなわち、筒枠体部５２は、その周方向に複数の、例えば４つの開口７０を有する。それぞれの開口７０は、吸気風路４６または排気風路４７に連通される。
【００４５】
プリーツフィルタ筒部５３は、プリーツフィルタ体７１を筒状に配置して構成される。プリーツフィルタ筒部５３は、プリーツフィルタ体７１と、フィルタ枠体部７２とを備える。
【００４６】
プリーツフィルタ体７１は、プリーツフィルタ筒部５３の側面部７３に配置される。プリーツフィルタ体７１は、プリーツフィルタ筒部５３の周方向に等間隔に、例えば略９０°毎に４等分されて設けられる。プリーツフィルタ体７１の山谷は、プリーツフィルタ筒部５３の長手軸方向に沿って配置される。プリーツフィルタ体７１のろ過面は、プリーツフィルタ筒部５３の内面に配置される。プリーツフィルタ体７１は、開口７０を介して吸気風路４６または排気風路４７を臨む。
【００４７】
フィルタ枠体部７２は、プリーツフィルタ体７１を筒状に保持する。フィルタ枠体部７２は、筒枠体部５２の吸込側筒部５７に配置された第１の環状板部７４と、筒枠体部５２のリング部５９に配置された第２の環状板部７５と、第１の環状板部７４および第２の環状板部７５を離間させて拘束するフィルタ支柱部７６とを備える。第１の環状板部７４および第２の環状板部７５は、プリーツフィルタ体７１を挟み込んで筒状に保持する。
【００４８】
第１の環状板部７４には、吸込側筒部５７に設けられたローラ収容部６６に対応させて係合凹部７８が形成される。係合凹部７８にローラ収容部６６が嵌め込まれると、筒枠体部５２とプリーツフィルタ体７１との相対的な周方向の変位が拘束される。
【００４９】
ネットフィルタ筒部５４は、一端が開口された有底筒状に形成される。ネットフィルタ筒部５４の底面部７９は、吸込口８０を有する。吸込口８０は、吸込口６３を経て吸込管部３４に連通される。ネットフィルタ筒部５４の側面部８１には、複数の排気口８２と、複数の細塵導入口８３とが設けられる。側面部８１には、例えば、側面部８１の周方向に等間隔に離間させて８つの排気口８２が設けられるとともに、さらに、側面部８１の周方向に等間隔に離間させて４つの排気口８２と、４つの細塵導入口８３とが交互に設けられる。排気口８２には、ネットフィルタ８５が設けられる。側面部８１には、細塵導入口８３の開閉弁８６が設けられる。開閉弁８６は、ネットフィルタ筒部５４の内側に開く弁体である。開閉弁８６は、ネットフィルタ筒部５４の内部の圧力が、ネットフィルタ筒部５４の外部の圧力よりも高い場合には、閉じた状態になる。他方、開閉弁８６は、ネットフィルタ筒部５４の内部の圧力が、ネットフィルタ筒部５４の外部の圧力よりも低い場合には、開いた状態になる。それぞれの吸込口８０およびそれぞれの細塵導入口８３はプリーツフィルタ体７１を介して吸気風路４６または排気風路４７に連通される。
【００５０】
ネットフィルタ筒部５４には、キー溝（図示省略）が形成される。キー溝には筒枠体部５２に形成されたキー（図示省略）が嵌め込まれる。このキー溝とキーによってネットフィルタ筒部５４と、筒枠体部５２との周方向の相対的な変位が拘束される。
【００５１】
ネットフィルタ筒部５４の内部は、塵埃を集塵する集塵室８９である。すなわち、塵埃を含んだ空気は、掃除機本体２に吸い込まれると、接続口２ａに連通された吸込管部３４の吸込風路４０から、開口４２と、吸込口６３と、吸込口８０とを経て集塵室８９に案内される。この含塵空気に含まれた粗塵はネットフィルタ８５によって含塵空気からろ過されて集塵室８９に捕集される。なお、含塵空気に含まれる細塵は、ネットフィルタ８５によって捕集される。
【００５２】
集塵蓋部５５は、筒枠体部５２のヒンジ受部６８にヒンジ結合され、ヒンジ受部６８のヒンジ軸回りに回動自在に保持される。集塵蓋部５５は、筒枠体部５２の挿入口５８と、プリーツフィルタ筒部５３の開放端部と、ネットフィルタ筒部５４の開放端部とを閉塞する蓋体である。集塵蓋部５５は、筒枠体部５２の挿入口５８を塞ぐに足りる径を有する円板状に形成される。筒枠体部５２のうち、掃除機本体２の後壁部２２に対向する側の面には、歯車３１が形成される。歯車３１は、回転分離集塵部２８の長手軸を中心に設けられる。歯車３１に駆動力が伝達されると、回転分離集塵部２８は、その長手軸回りに回動される。
【００５３】
すなわち、塵埃分離集塵部１９は、筒状に形成された筒カバー部３３と、筒状に形成された筒枠体部５２と、筒状に形成されたプリーツフィルタ筒部５３と、筒状に形成されたネットフィルタ筒部５４とを備え、外側から順次に筒カバー部３３と、筒枠体部５２と、プリーツフィルタ筒部５３と、ネットフィルタ筒部５４とが配置されて構成される。筒カバー部３３と、筒枠体部５２と、プリーツフィルタ筒部５３と、ネットフィルタ筒部５４との長手方向軸は、それぞれ略一致させて配置される。筒枠体部５２と、プリーツフィルタ筒部５３と、ネットフィルタ筒部５４とは、一体的に組み合わされて、筒カバー部３３の内部で回動自在に保持される。
【００５４】
掃除機本体２の後壁部２２は、筒カバー部３３の開口端部４９に連通された連通路９０を有する。連通路９０は、電動送風機１２の吸込側に連通される。
【００５５】
図７は、本発明の第１実施形態に係る電気掃除機の塵埃分離集塵部を示した横断面図である。
【００５６】
図７に示すように、塵埃分離集塵部１９の筒カバー部３３と、筒枠体部５２と、プリーツフィルタ筒部５３と、ネットフィルタ筒部５４とは、略同心円状に配置される。筒カバー部３３の吸排気管部３６には、区画リブ５１の他に、保持リブ９１が形成される。保持リブ９１は、筒カバー部３３の内周面に複数、例えば２つの保持リブ９１が設けられる。回転分離集塵部２８は、保持リブ９１および区画リブ５１によって筒カバー部３３の略中心部に保持される。具体的には、回転分離集塵部２８は、区画リブ５１と、２つの保持リブ９１によって、筒枠体部５２の連結壁部６０と、プリーツフィルタ筒部５３のフィルタ支柱部７６とを介して保持される。
【００５７】
区画リブ５１は、筒カバー部３３の吸入口２７の周縁部に設けられ、回転分離集塵部２８の筒枠体部５２開口７０ｄの周囲に位置されたリング部５９および連結壁部６０に当接される。
【００５８】
吸気風路４６は、吸排気管部３６の内周面と回転分離集塵部２８の外周面とに挟まれた部分のうち、筒カバー部３３の吸入口２７の周縁であって、区画リブ５１に囲まれた風路である。吸気風路４６は、吸入口２７と集塵室８９とを、開口７０ｄ、プリーツフィルタ体７１ｄおよびネットフィルタ８５ｄを介して連通させる。
【００５９】
排気風路４７は、吸排気管部３６の内周面と回転分離集塵部２８の外周面とに挟まれた部分のうち、区画リブ５１と保持リブ９１または２つの保持リブ９１に囲まれた風路である。排気風路４７は、連通路９２と集塵室８９とを、ネットフィルタ８５ａ、８５ｂ、８５ｃ、プリーツフィルタ体７１ａ、７１ｂ、７１ｃおよび開口７０ａ、７０ｂ、７０ｃを介して連通させる。
【００６０】
電動送風機１２が作動すると、連通路９２を介して排気風路４７の圧力が下がる。排気風路４７の圧力が下がると、開口７０ａ、プリーツフィルタ体７１ａおよびネットフィルタ８５ａを介して集塵室８９の圧力が下がる。また、同様に、排気風路４７の圧力が下がると、開口７０ｂ、プリーツフィルタ体７１ｂおよびネットフィルタ８５ｂを介して集塵室８９の圧力が下がる。さらに、同様に、排気風路４７の圧力が下がると、開口７０ｃ、プリーツフィルタ体７１ｃおよびネットフィルタ８５ｃを介して集塵室８９の圧力が下がる。このとき、開閉弁８６ａ、８６ｂ、８６ｃは、集塵室８９側と、その背面の圧力差によって閉じられる。細塵導入口８３ａ、８３ｂ、８３ｃは、開閉弁８６ａ、８６ｂ、８６ｃによって塞がれる。このときの空気の流れを、図５および図７中に実線矢で示す。
【００６１】
集塵室８９の圧力が下がると、吸込口８０と、吸込口６３と、開口４２とを経て吸込管部３４の吸込風路４０の圧力が下がり、掃除機本体２の接続口２ａには負圧が作用する。このときの空気の流れを、図５および図７中に、破線矢で示す。
【００６２】
また、集塵室８９の圧力が下がると、ネットフィルタ８５ｄ、プリーツフィルタ体７１ｄおよび開口７０ｄを介して吸気風路４６の圧力も下がる。このとき、開閉弁８６ｄは、集塵室８９側と、その背面との圧力差によって開かれる。したがって、細塵導入口８３ｄは、プリーツフィルタ体７１ｄのろ過面と、集塵室８９とを連通させる。吸気風路４６の圧力が下がると、吸入口２７から空気が吸い込まれる。このときの空気の流れを、図５および図７中に、一点鎖線矢で示す。
【００６３】
次に、本実施形態に係る電気掃除機１の掃除動作を説明する。
【００６４】
電気掃除機１の使用者は、先ず、掃除機本体２の接続口２ａに集塵ホース３を接続する。次いで、手元操作管４に延長管７を接続する。さらに、延長管７に吸込口体８を接続する。
【００６５】
次に、電気掃除機１の使用者は、掃除機本体２から電源コード１３を引き出して、商用電源を供給するコンセント（図示省略）に電源プラグ１４を接続する。
【００６６】
次に、電気掃除機１の使用者は、吸込口体８を床面などの被掃除面上に配置するとともに、把持部５を把持して起動スイッチ６ｂを操作する。
【００６７】
そうすると、電動機２９が作動して、回転分離集塵部２８を１／４回転分、回動する。電動機２９が停止した後、起動スイッチ６ｂで設定された動作モードに応じて電動送風機１２が作動する。
【００６８】
なお、説明の簡単のため、回転分離集塵部２８を１／４回転した初期の配置は、図７の通りとする。
【００６９】
電動送風機１２が作動すると、連通路９２から塵埃分離集塵部１９を介して掃除機本体２の接続口２ａに負圧が作用する。
【００７０】
掃除機本体２の接続口２ａに作用した負圧は、接続口２ａから集塵ホース３と手元操作管４と延長管７とを経て吸込口体８に作用する。
【００７１】
次いで、電気掃除機１の使用者は、前進および後退を交互に繰り返して吸込口体８を走行する。そうすると、吸込口体８は、被掃除面から空気とともに塵埃を吸い込む。
【００７２】
吸込口体８に吸い込まれた含塵空気は、延長管７と手元操作管４と集塵ホース３とを順次に通過した後、掃除機本体２の接続口２ａに案内される。
【００７３】
掃除機本体２の接続口２ａに案内された含塵空気は、掃除機本体２の内部に収容された塵埃分離集塵部１９に吸い込まれる。塵埃分離集塵部１９に案内された含塵空気は、吸込管部３４の吸込風路４０を経て集塵室８９に案内される。
【００７４】
集塵室８９に案内された含塵空気は、ネットフィルタ８５ａ、８５ｂ、８５ｃによって粗塵と、細塵を含んだ空気とに分離される。含塵空気から分離された粗塵は集塵室８９に捕集される。他方、細塵を含む空気はネットフィルタ８５ａ、８５ｂ、８５ｃを通過する。ネットフィルタ８５ａ、８５ｂ、８５ｃを通過した細塵を含む空気は、プリーツフィルタ体７１ａ、７１ｂ、７１ｃによって細塵と、空気とにろ過分離される。細塵は、プリーツフィルタ体７１ａ、７１ｂ、７１ｃによって捕集される。他方、空気は、プリーツフィルタ体７１ａ、７１ｂ、７１ｃを通過して、開口７０ａ、７０ｂ、７０ｃから排気風路４７に吸い込まれる。この後、空気は、連通路９２を経て電動送風機１２に吸い込まれて排気風となり、本体排気口から掃除機本体２の外部に排気される。
【００７５】
電気掃除機１の使用者は、掃除が終了すると、切スイッチ６ａを操作して電動送風機１２の運転を終了し、電気掃除機１を停止する。
【００７６】
図８は、本発明の第１実施形態に係る電気掃除機の塵埃分離集塵部を示した横断面図である。
【００７７】
図８に示すように、一旦、掃除に使った塵埃分離集塵部１９の集塵室８９には、粗塵ＤＬが捕集される。さらに詳しくは、粗塵ＤＬは、もっぱら、ネットフィルタ８５ａ、８５ｂ、８５ｃに付着されて捕集される。他方、細塵ＤＳは、プリーツフィルタ体７１ａ、７１ｂ、７１ｃに付着されて捕集される。
【００７８】
この後、再度、電気掃除機１の使用者が掃除を行うときは、電気掃除機１を準備して、起動スイッチ６ｂを操作する。そうすると、電動機２９が作動して、回転分離集塵部２８を１／４回転分、回動する。また、電動機２９が停止した後、起動スイッチ６ｂで設定された動作モードに応じて電動送風機１２が作動する。
【００７９】
図９は、本発明の第１実施形態に係る電気掃除機の塵埃分離集塵部を示した横断面図である。
【００８０】
なお、図９は、起動スイッチ６ｂの操作後、１／４回転分、回動した後の回転分離集塵部２８の状態を示した図である。
【００８１】
図９に示すように、塵埃分離集塵部１９の回転分離集塵部２８を１／４回転分、回動させると、ネットフィルタ８５ａおよびプリーツフィルタ体７１ａは、吸気風路４６に連通される。他方、ネットフィルタ８５ｂ、８５ｃ、８５ｄおよびプリーツフィルタ体７１ｂ、７１ｃ、７１ｄは、排気風路４７に連通される。
【００８２】
電動送風機１２が作動すると、連通路９２を介して排気風路４７の圧力が下がる。排気風路４７の圧力が下がると、開口７０ｂ、７０ｃ、７０ｄ、プリーツフィルタ体７１ｂ、７１ｃ、７１ｄおよびネットフィルタ８５ｂ、８５ｃ、８５ｄを介して集塵室８９の圧力が下がる。このとき、開閉弁８６ｂ、８６ｃ、８６ｄは、集塵室８９側と、その背面の圧力差によって閉じられる。細塵導入口８３ｂ、８３ｃ、８３ｄは、開閉弁８６ｂ、８６ｃ、８６ｄによって塞がれる。このときの空気の流れを、図９中に実線矢で示す。
【００８３】
集塵室８９の圧力が下がると、吸込口８０と、吸込口６３と、開口４２とを経て吸込管部３４の吸込風路４０の圧力が下がり、掃除機本体２の接続口２ａには負圧が作用する。このときの空気の流れを、図９中に、破線矢で示す。
【００８４】
また、集塵室８９の圧力が下がると、ネットフィルタ８５ａ、プリーツフィルタ体７１ａおよび開口７０ａを介して吸気風路４６の圧力も下がる。このとき、開閉弁８６ａは、集塵室８９側と、その背面との圧力差によって開かれる。したがって、細塵導入口８３ａは、プリーツフィルタ体７１ａのろ過面と、集塵室８９とを連通させる。吸気風路４６の圧力が下がると、吸入口２７から空気が吸い込まれる。このときの空気の流れを、図９中に、一点鎖線矢で示す。
【００８５】
掃除機本体２の接続口２ａに作用した負圧は、接続口２ａから集塵ホース３と手元操作管４と延長管７とを経て吸込口体８に作用する。
【００８６】
次いで、電気掃除機１の使用者は、前進および後退を交互に繰り返して吸込口体８を走行する。そうすると、吸込口体８は、被掃除面から空気とともに塵埃を吸い込む。
【００８７】
吸込口体８に吸い込まれた含塵空気は、延長管７と手元操作管４と集塵ホース３とを順次に通過した後、掃除機本体２の接続口２ａに案内される。掃除機本体２の接続口２ａに案内された含塵空気は、掃除機本体２の内部に収容された塵埃分離集塵部１９に吸い込まれる。塵埃分離集塵部１９に案内された含塵空気は、吸込管部３４の吸込風路４０を経て集塵室８９に案内される。
【００８８】
集塵室８９に案内された含塵空気は、ネットフィルタ８５ｂ、８５ｃ、８５ｄによって粗塵と、細塵を含んだ空気とに分離される。含塵空気から分離された粗塵は集塵室８９に捕集される。他方、細塵を含む空気はネットフィルタ８５ｂ、８５ｃ、８５ｄを通過する。ネットフィルタ８５ｂ、８５ｃ、８５ｄを通過した細塵を含む空気は、プリーツフィルタ体７１ｂ、７１ｃ、７１ｄによって細塵と、空気とにろ過分離される。細塵は、プリーツフィルタ体７１ｂ、７１ｃ、７１ｄによって捕集される。他方、空気は、プリーツフィルタ体７１ｂ、７１ｃ、７１ｄを通過して、開口７０ｂ、７０ｃ、７０ｄから排気風路４７に吸い込まれる。この後、空気は、連通路９２を経て電動送風機１２に吸い込まれて排気風となり、本体排気口から掃除機本体２の外部に排気される。
【００８９】
他方、吸入口２７から吸い込まれた空気は、プリーツフィルタ体７１ａのろ過面の背面側からろ過面側に吸い込まれる。プリーツフィルタ体７１ａを流れる空気によって、そのろ過面に捕集された細塵ＤＳが剥がされる。プリーツフィルタ体７１ａから剥がされた細塵ＤＳは、もっぱら寄り集まって固まっているため、ネットフィルタ８５ａを通過しない。そこで、細塵ＤＳは、プリーツフィルタ体７１ａを通過した空気の一部とともに、細塵導入口８３ａを通って集塵室８９に案内される。
【００９０】
プリーツフィルタ体７１ａを通過した空気の他の部分は、ネットフィルタ８５ａのろ過面の背面側からろ過面側に吸い込まれて集塵室８９に案内される。このとき、ネットフィルタ８５ａに捕集された粗塵ＤＬは、ネットフィルタ８５ａから剥がされる。
【００９１】
すなわち、吸入口２７から吸い込まれた空気によって、ネットフィルタ８５ａに捕集された粗塵ＤＬａと、プリーツフィルタ体７１ａに捕集された細塵ＤＳａとは、集塵室８９に流れ込み、ネットフィルタ８５ｂ、８５ｃ、８５ｄに再度、捕集される。したがって、ネットフィルタ８５ａと、プリーツフィルタ体７１ａとは、洗浄される。
【００９２】
このとき、粗塵ＤＬａおよび細塵ＤＳａは、ネットフィルタ８５ｂ、８５ｃに捕集されていた他の粗塵ＤＬに絡まり合う。したがって、ネットフィルタ８５ｂ、８５ｃ、８５ｄを通過して、プリーツフィルタ体７１ｂ、７１ｃ、７１ｄに再度、捕集される細塵ＤＳａの割合は、極めて低い。
【００９３】
電気掃除機１の使用者は、掃除が終了すると、切スイッチ６ａを操作して電動送風機１２の運転を終了し、電気掃除機１を停止する。この後は、再度、電気掃除機１が使用される都度、回転分離集塵部２８が１／４回転分、回動される。
【００９４】
したがって、ネットフィルタ８５およびプリーツフィルタ体７１のいずれかの１／４部分は掃除の都度、清浄に保たれる。また、ネットフィルタ８５およびプリーツフィルタ体７１の他の３／４部分のうち、少なくとも１／４部分は目詰まりなく、十分な集塵能力を維持できる。さらに、掃除の度に、集塵室８９内には、粗塵と細塵とが絡まり合い、押し固められて蓄積されるので、集塵室８９の容積を有効に活用できる。
【００９５】
本実施形態の電気掃除機１によれば、ネットフィルタ８５およびプリーツフィルタ体７１の背面側からろ過面側に空気を通過させて、フィルタに付着した塵埃を除去できる。
【００９６】
［第２の実施形態］
本発明に係る電気掃除機の第２実施形態について、図１０から図１２を参照して説明する。
【００９７】
図１０は、本発明の第２実施形態に係る電気掃除機の掃除機本体を示した平面図である。
【００９８】
本実施形態に係る電気掃除機１Ａにおいて第１実施形態に係る電気掃除機１と同じ構成には同一の符号を付し、重複する説明は省略する。
【００９９】
図１０に示すように、掃除機本体２の塵埃分離集塵部収容部１８には、塵埃分離集塵部１９Ａが収容される。塵埃分離集塵部１９Ａの側壁２６には、吸入口２７の開閉弁９４が設けられる。
【０１００】
図１１は、本発明の第２実施形態に係る電気掃除機の掃除機本体を部分的に示した縦断面図である。
【０１０１】
図１１に示すように、掃除機本体２の塵埃分離集塵部１９Ａは、筒カバー部３３Ａと、回転分離集塵部２８とを備える。筒カバー部３３Ａの内部には、回転分離集塵部２８が回動自在に収容される。
【０１０２】
筒カバー部３３Ａの吸込管部３４には、集塵部保持筒部３５の開口４２の開閉弁９５が設けられる。また、筒カバー部３３Ａの吸排気管部３６の側壁４５には、吸入口２７の開閉弁９４が設けられる。
【０１０３】
開閉弁９４は、駆動部（図示省略）を備え、開閉自在に保持される。開閉弁９４が閉じられると、吸入口２７は閉塞される。開閉弁９５は、駆動部（図示省略）を備え、開閉自在に保持される。開閉弁９５が閉じられると、開口４２は閉塞される。
【０１０４】
なお、開閉弁９４の駆動部と、開閉弁９５の駆動部との駆動源は共用しても良い。
【０１０５】
電気掃除機１Ａは、起動スイッチ６ｂを操作して運転を開始すると、開閉弁９５を開き、開閉弁９４を閉じる。
【０１０６】
他方、切スイッチ６ａを操作して運転を停止すると、開閉弁９５を閉じて、開閉弁９４を開く。（図１１中、二点鎖線）
次に、本実施形態に係る電気掃除機１Ａの掃除動作を説明する。
【０１０７】
なお、電気掃除機１Ａは既に少なくとも１回以上、掃除に用いられているものとして説明を行う。
【０１０８】
再度、電気掃除機１Ａの使用者が掃除を行うときは、電気掃除機１Ａを準備して、起動スイッチ６ｂを操作する。そうすると、電動機２９が作動して、回転分離集塵部２８を１／４回転分、回動する。また、開閉弁９５は開かれ、開閉弁９４は閉じられる。さらに、電動機２９が停止した後、起動スイッチ６ｂで設定された動作モードに応じて電動送風機１２が作動する。
【０１０９】
図１２は、本発明の第２実施形態に係る電気掃除機の塵埃分離集塵部を示した横断面図である。
【０１１０】
なお、図１２は、起動スイッチ６ｂの操作後、１／４回転分、回動した後の回転分離集塵部２８の状態を示した図である。
【０１１１】
図１２に示すように、塵埃分離集塵部１９Ａの回転分離集塵部２８を１／４回転分、回動させると、ネットフィルタ８５ａおよびプリーツフィルタ体７１ａは、吸気風路４６に連通される。他方、ネットフィルタ８５ｂ、８５ｃ、８５ｄおよびプリーツフィルタ体７１ｂ、７１ｃ、７１ｄは、排気風路４７に連通される。
【０１１２】
電動送風機１２が作動すると、連通路９２を介して排気風路４７の圧力が下がる。排気風路４７の圧力が下がると、開口７０ｂ、７０ｃ、７０ｄ、プリーツフィルタ体７１ｂ、７１ｃ、７１ｄおよびネットフィルタ８５ｂ、８５ｃ、８５ｄを介して集塵室８９の圧力が下がる。このとき、開閉弁８６ｂ、８６ｃ、８６ｄは、集塵室８９側と、その背面の圧力差によって閉じられる。細塵導入口８３ｂ、８３ｃ、８３ｄは、開閉弁８６ｂ、８６ｃ、８６ｄによって塞がれる。このときの空気の流れを、図１１および図１２中に実線矢で示す。
【０１１３】
集塵室８９の圧力が下がると、吸込口８０と、吸込口６３と、開口４２とを経て吸込管部３４の吸込風路４０の圧力が下がり、掃除機本体２の接続口２ａには負圧が作用する。このときの空気の流れを、図１１および図１２中に、破線矢で示す。
【０１１４】
なお、集塵室８９の圧力が下がると、ネットフィルタ８５ａ、プリーツフィルタ体７１ａおよび開口７０ａを介して吸気風路４６の圧力も下がる。しかし、吸入口２７の開閉弁９４は閉じられているので、吸入口２７から空気は吸い込まれない。
【０１１５】
電気掃除機１Ａの使用者は、掃除が終了すると、切スイッチ６ａを操作する。
【０１１６】
電気掃除機１Ａの使用者が切スイッチ６ａを操作すると、開閉弁９５は閉じられ、開閉弁９４は開かれる（図１１および図１２中、二点鎖線）。
【０１１７】
電動送風機１２の作動は所定の時間継続される。そうすると、連通路９２を介して排気風路４７の圧力が下がる。排気風路４７の圧力が下がると、開口７０ｂ、７０ｃ、７０ｄ、プリーツフィルタ体７１ｂ、７１ｃ、７１ｄおよびネットフィルタ８５ｂ、８５ｃ、８５ｄを介して集塵室８９の圧力が下がる。細塵導入口８３ｂ、８３ｃ、８３ｄは、開閉弁８６ｂ、８６ｃ、８６ｄによって閉じられる（図１１および図１２中、実線矢）。
【０１１８】
一方、集塵室８９の圧力が下がっても、開閉弁９５は閉じられているので、吸込風路４０の圧力は下がらない。したがって、掃除機本体２の接続口２ａには負圧が作用しない（図１１および図１２中、破線矢の流れは起きない）。
【０１１９】
他方、集塵室８９の圧力が下がると、ネットフィルタ８５ａ、プリーツフィルタ体７１ａおよび開口７０ａを介して吸気風路４６の圧力も下がる。このとき、吸入口２７の開閉弁９４は開かれているので、吸気風路４６の圧力が下がると吸入口２７から空気が吸い込まれる。開閉弁８６ａは、集塵室８９側と、その背面との圧力差によって開かれる（図１１および図１２中、二点鎖線）。したがって、細塵導入口８３ａは、プリーツフィルタ体７１ａのろ過面と、集塵室８９とを連通させる。このときの空気の流れを、図１１および図１２中に、一点鎖線矢で示す。
【０１２０】
電気掃除機１Ａは、切スイッチ６ａが操作されてから所定の時間後に、電動送風機１２の運転を終了して停止する。
【０１２１】
すなわち、電気掃除機１Ａは、掃除動作中には、塵埃分離集塵部１９の吸入口２７が開閉弁９４で閉塞されるので、電動送風機１２の出力を吸込口体８に効率的に伝えることができる。
【０１２２】
本実施形態の電気掃除機１Ａによれば、ネットフィルタ８５およびプリーツフィルタ体７１の背面側からろ過面側に空気を通過させて、フィルタに付着した塵埃を除去できる。
【０１２３】
［第３の実施形態］
本発明に係る電気掃除機の第３実施形態について、図１３から図１５を参照して説明する。
【０１２４】
図１３は、本発明の第３実施形態に係る電気掃除機の掃除機本体を示した平面図である。
【０１２５】
本実施形態に係る電気掃除機１Ｂにおいて第１実施形態に係る電気掃除機１と同じ構成には同一の符号を付し、重複する説明は省略する。
【０１２６】
図１３に示すように、掃除機本体２の塵埃分離集塵部収容部１８には、塵埃分離集塵部１９Ｂが収容される。塵埃分離集塵部１９Ｂの側壁２６には、バイパス管９７が設けられる。
【０１２７】
図１４は、本発明の第３実施形態に係る電気掃除機の掃除機本体を部分的に示した縦断面図である。
【０１２８】
図１４に示すように、掃除機本体２の塵埃分離集塵部１９Ｂは、筒カバー部３３Ｂと、回転分離集塵部２８と、バイパス管９７とを備える。筒カバー部３３Ｂの内部には、回転分離集塵部２８が回動自在に収容される。
【０１２９】
筒カバー部３３Ｂの吸込管部３４は、開口９８を有する。開口９８は、ネットフィルタ９９で塞がれる。
【０１３０】
バイパス管９７は、筒カバー部３３Ｂの吸込管部３４から吸排気管部３６に亘って設けられる。バイパス管９７には、筒カバー部３３Ｂの開口９８と、吸入口２７とを連通させるバイパス風路１００が形成される。
【０１３１】
次に、本実施形態に係る電気掃除機１Ｂの掃除動作を説明する。
【０１３２】
なお、電気掃除機１Ｂは既に少なくとも１回以上、掃除に用いられているものとして説明を行う。
【０１３３】
再度、電気掃除機１Ｂの使用者が掃除を行うときは、電気掃除機１Ｂを準備して、起動スイッチ６ｂを操作する。そうすると、電動機２９が作動して、回転分離集塵部２８を１／４回転分、回動する。また、電動機２９が停止した後、起動スイッチ６ｂで設定された動作モードに応じて電動送風機１２が作動する。
【０１３４】
図１５は、本発明の第３実施形態に係る電気掃除機の塵埃分離集塵部を示した横断面図である。
【０１３５】
なお、図１５は、起動スイッチ６ｂが操作後、１／４回転分、回動した後の回転分離集塵部２８の状態を示した図である。
【０１３６】
図１５に示すように、塵埃分離集塵部１９Ｂの回転分離集塵部２８を１／４回転分、回動させると、ネットフィルタ８５ａおよびプリーツフィルタ体７１ａは、吸気風路４６に連通される。他方、ネットフィルタ８５ｂ、８５ｃ、８５ｄおよびプリーツフィルタ体７１ｂ、７１ｃ、７１ｄは、排気風路４７に連通される。
【０１３７】
電動送風機１２が作動すると、連通路９２を介して排気風路４７の圧力が下がる。排気風路４７の圧力が下がると、開口７０ｂ、７０ｃ、７０ｄ、プリーツフィルタ体７１ｂ、７１ｃ、７１ｄおよびネットフィルタ８５ｂ、８５ｃ、８５ｄを介して集塵室８９の圧力が下がる。このとき、開閉弁８６ｂ、８６ｃ、８６ｄは、集塵室８９側と、その背面の圧力差によって閉じられる。細塵導入口８３ｂ、８３ｃ、８３ｄは、開閉弁８６ｂ、８６ｃ、８６ｄによって塞がれる。このときの空気の流れを、図１４および図１５中に、実線矢で示す。
【０１３８】
集塵室８９の圧力が下がると、吸込口８０と、吸込口６３と、開口４２とを経て吸込管部３４の吸込風路４０の圧力が下がり、掃除機本体２の接続口２ａには負圧が作用する。このときの空気の流れを、図１４および図１５中に、破線矢で示す。
【０１３９】
また、集塵室８９の圧力が下がると、ネットフィルタ８５ａ、プリーツフィルタ体７１ａおよび開口７０ａを介して吸気風路４６の圧力も下がる。このとき、開閉弁８６ａは、集塵室８９側と、その背面との圧力差によって開かれる。したがって、細塵導入口８３ａは、プリーツフィルタ体７１ａのろ過面と、集塵室８９とを連通させる。吸気風路４６の圧力が下がると吸入口２７からバイパス風路１００を介して吸込管部３４の圧力も下がる。バイパス風路１００の圧力が下がると、吸込管部３４の開口９８から吸込風路４０の空気が吸い込まれる。このときの空気の流れを、図１４および図１５中に、一点鎖線矢で示す。
【０１４０】
掃除機本体２の接続口２ａに作用した負圧は、接続口２ａから集塵ホース３と手元操作管４と延長管７とを経て吸込口体８に作用する。
【０１４１】
次いで、電気掃除機１Ｂの使用者は、前進および後退を交互に繰り返して吸込口体８を走行する。そうすると、吸込口体８は、被掃除面から空気とともに塵埃を吸い込む。
【０１４２】
吸込口体８に吸い込まれた含塵空気は、延長管７と手元操作管４と集塵ホース３とを順次に通過した後、掃除機本体２の接続口２ａに案内される。掃除機本体２の接続口２ａに案内された含塵空気は、掃除機本体２の内部に収容された塵埃分離集塵部１９Ｂに吸い込まれる。塵埃分離集塵部１９Ｂに吸い込まれた含塵空気は、集塵室８９に案内される。
【０１４３】
集塵室８９に案内された含塵空気は、ネットフィルタ８５ｂ、８５ｃ、８５ｄによって粗塵と、細塵を含んだ空気とに分離される。含塵空気から分離された粗塵は集塵室８９に捕集される。他方、細塵を含む空気はネットフィルタ８５ｂ、８５ｃ、８５ｄを通過する。ネットフィルタ８５ｂ、８５ｃ、８５ｄを通過した細塵を含む空気は、プリーツフィルタ体７１ｂ、７１ｃ、７１ｄによって細塵と、空気とにろ過分離される。細塵は、プリーツフィルタ体７１ｂ、７１ｃ、７１ｄによって捕集される。他方、空気は、プリーツフィルタ体７１ｂ、７１ｃ、７１ｄを通過して、開口７０ｂ、７０ｃ、７０ｄから排気風路４７に吸い込まれる。この後、空気は、連通路９２を経て電動送風機１２に吸い込まれて排気風となり、本体排気口から掃除機本体２の外部に排気される。
【０１４４】
他方、開口９８から吸い込まれた空気は、バイパス風路１００を経て、プリーツフィルタ体７１ａのろ過面の背面側からろ過面側に吸い込まれる。プリーツフィルタ体７１ａを流れる空気によって、そのろ過面に捕集された細塵ＤＳが剥がされる。プリーツフィルタ体７１ａから剥がされた細塵ＤＳは、もっぱら寄り集まって固まっているため、ネットフィルタ８５ａを通過しない。そこで、細塵ＤＳは、プリーツフィルタ体７１ａを通過した空気の一部とともに、細塵導入口８３ａを通って集塵室８９に案内される。一方、プリーツフィルタ体７１ａを通過した空気の他の部分は、ネットフィルタ８５ａを通って集塵室８９に案内される。このとき、ネットフィルタ８５ａに捕集された粗塵ＤＬは、ネットフィルタ８５ａから剥がされる。
【０１４５】
すなわち、開口９８から吸い込まれた空気によって、ネットフィルタ８５ａに捕集された粗塵ＤＬａと、プリーツフィルタ体７１ａに捕集された細塵ＤＳａとは、集塵室８９に流れ込み、ネットフィルタ８５ｂ、８５ｃ、８５ｄに再度、捕集される。したがって、ネットフィルタ８５ａと、プリーツフィルタ体７１ａとは、洗浄される。
【０１４６】
また、開口９８から吸い込まれた空気は、吸込管部３４の吸込風路４０から分流されたものである。したがって、電動送風機１２の出力は、吸込口体８に効率的に伝えられる。さらに、開口９８に吸い込まれる空気の流れは、吸込風路４０を流れる主流を分流したものである。したがって、主流に含まれる塵埃は、その慣性力によって、もっぱら集塵室８９へ案内される。さらに、開口９８にはネットフィルタ９９が設けられているので、バイパス風路１００には塵埃が流れ込み難い。
【０１４７】
このとき、粗塵ＤＬａおよび細塵ＤＳａは、ネットフィルタ８５ｂ、８５ｃに捕集されていた他の粗塵ＤＬや細塵ＤＳに絡まり合う。したがって、ネットフィルタ８５ｂ、８５ｃ、８５ｄを通過して、プリーツフィルタ体７１ｂ、７１ｃ、７１ｄに再度、捕集される細塵ＤＳａの割合は、極めて低い。
【０１４８】
電気掃除機１Ｂの使用者は、掃除が終了すると、切スイッチ６ａを操作して電動送風機１２の運転を終了し、電気掃除機１Ｂを停止する。この後は、再度、電気掃除機１が使用される都度、回転分離集塵部２８が１／４回転分、回動される。
【０１４９】
したがって、ネットフィルタ８５およびプリーツフィルタ体７１のいずれかの１／４部分は掃除の都度、清浄に保たれる。また、ネットフィルタ８５およびプリーツフィルタ体７１の他の３／４部分のうち、少なくとも１／４部分は目詰まりなく、十分な集塵能力を維持できる。さらに、掃除の度に、集塵室８９内には、粗塵と細塵とが絡まり合い、押し固められて蓄積されるので、集塵室８９の容積を有効に活用できる。
【０１５０】
本実施形態の電気掃除機１Ｂによれば、ネットフィルタ８５およびプリーツフィルタ体７１の背面側からろ過面側に空気を通過させて、フィルタに付着した塵埃を除去できる。
【０１５１】
［第４の実施形態］
本発明に係る電気掃除機の第４実施形態について、図１６から図１７を参照して説明する。
【０１５２】
図１６は、本発明の第４実施形態に係る電気掃除機の掃除機本体を部分的に示した縦断面図である。
【０１５３】
本実施形態に係る電気掃除機１Ｃにおいて第３実施形態に係る電気掃除機１Ｂと同じ構成には同一の符号を付し、重複する説明は省略する。
【０１５４】
図１６に示すように、電気掃除機１Ｃは、掃除機本体２を備える。掃除機本体２の塵埃分離集塵部収容部１８には、塵埃分離集塵部１９Ｃが収容される。
【０１５５】
塵埃分離集塵部１９Ｃは、筒カバー部３３Ｃと、回転分離集塵部２８と、バイパス管９７とを備える。筒カバー部３３Ｃの内部には、回転分離集塵部２８が回動自在に収容される。
【０１５６】
筒カバー部３３Ｃの吸込管部３４には、切換弁１０１が設けられる。
【０１５７】
切換弁１０１は、駆動部（図示省略）を備え、切換自在に保持される。切換弁１０１は、集塵部保持筒部３５の開口４２を閉塞する位置と、吸込管部３４の開口９８を閉塞する位置との間で切換自在に設けられる。
【０１５８】
電気掃除機１Ｃは、起動スイッチ６ｂを操作して運転を開始すると、切換弁１０１によって、開口４２が開かれ、開口９８が閉じられる。切換弁１０１によって、開口４２が開かれ、開口９８が閉じられると、吸込風路４０は、開口４２と、吸込口６３と、吸込口８０とを経て集塵室８９に連通される。
【０１５９】
他方、切スイッチ６ａを操作して運転を停止すると、切換弁１０１によって、開口４２が閉じられ、開口９８が開かれる。切換弁１０１によって、開口４２が閉じられ、開口９８が開かれると、吸込風路４０は、バイパス管９７を介して集塵室８９に連通される（図１６中、二点鎖線）。
【０１６０】
次に、本実施形態に係る電気掃除機１Ｃの掃除動作を説明する。
【０１６１】
なお、電気掃除機１Ｃは既に少なくとも１回以上、掃除に用いられているものとして説明を行う。
【０１６２】
再度、電気掃除機１Ｃの使用者が掃除を行うときは、電気掃除機１Ｃを準備して、起動スイッチ６ｂを操作する。そうすると、電動機２９が作動して、回転分離集塵部２８を１／４回転分、回動する。また、切換弁１０１が駆動され、吸込管部３４の開口４２は開かれ、吸込管部３４の開口９８は閉じられる。さらに、電動機２９が停止した後、起動スイッチ６ｂで設定された動作モードに応じて電動送風機１２が作動する。
【０１６３】
図１７は、本発明の第４実施形態に係る電気掃除機の塵埃分離集塵部を示した横断面図である。
【０１６４】
なお、図１７は、起動スイッチ６ｂが操作後、１／４回転分、回動した後の回転分離集塵部２８の状態を示した図である。
【０１６５】
図１７に示すように、塵埃分離集塵部１９Ｃの回転分離集塵部２８を１／４回転分、回動させると、ネットフィルタ８５ａおよびプリーツフィルタ体７１ａは、吸気風路４６に連通される。他方、ネットフィルタ８５ｂ、８５ｃ、８５ｄおよびプリーツフィルタ体７１ｂ、７１ｃ、７１ｄは、排気風路４７に連通される。
【０１６６】
電動送風機１２が作動すると、連通路９２を介して排気風路４７の圧力が下がる。排気風路４７の圧力が下がると、開口７０ｂ、７０ｃ、７０ｄ、プリーツフィルタ体７１ｂ、７１ｃ、７１ｄおよびネットフィルタ８５ｂ、８５ｃ、８５ｄを介して集塵室８９の圧力が下がる。このとき、開閉弁８６ｂ、８６ｃ、８６ｄは、集塵室８９側と、その背面の圧力差によって閉じられる。細塵導入口８３ｂ、８３ｃ、８３ｄは、開閉弁８６ｂ、８６ｃ、８６ｄによって塞がれる。このときの空気の流れを、図１６および図１７中に、実線矢で示す。
【０１６７】
集塵室８９の圧力が下がると、吸込口８０と、吸込口６３と、開口４２とを経て吸込管部３４の吸込風路４０の圧力が下がり、掃除機本体２の接続口２ａには負圧が作用する。このときの空気の流れを、図１６および図１７中に、破線矢で示す。
【０１６８】
なお、集塵室８９の圧力が下がると、ネットフィルタ８５ａ、プリーツフィルタ体７１ａおよび開口７０ａを介して吸気風路４６の圧力も下がる。吸気風路４６の圧力が下がると吸入口２７を介してバイパス風路１００の圧力も下がる。しかし、吸込管部３４の開口９８は切換弁１０１によって閉じられているので、バイパス風路１００の圧力が下がっても吸込風路４０の空気は吸い込まれない。
【０１６９】
電気掃除機１Ｃの使用者は、掃除が終了すると、切スイッチ６ａを操作する。
【０１７０】
電気掃除機１Ｃの使用者が切スイッチ６ａを操作すると、切換弁１０１が駆動され、吸込管部３４の開口４２は閉じられ、吸込管部３４の開口９８は開かれる（図１６および図１７中、二点鎖線）。
【０１７１】
電動送風機１２の作動は所定の時間継続される。そうすると、連通路９２を介して排気風路４７の圧力が下がる。排気風路４７の圧力が下がると、開口７０ｂ、７０ｃ、７０ｄ、プリーツフィルタ体７１ｂ、７１ｃ、７１ｄおよびネットフィルタ８５ｂ、８５ｃ、８５ｄを介して集塵室８９の圧力が下がる。細塵導入口８３ｂ、８３ｃ、８３ｄは、開閉弁８６ｂ、８６ｃ、８６ｄによって閉じられる（図１６および図１７中に、実線矢）。
【０１７２】
一方、集塵室８９の圧力が下がっても、開口４２は閉じられているので、吸込口８０と、吸込口６３と、開口４２とを経て吸込風路４０の圧力が下がることはない。
【０１７３】
他方、集塵室８９の圧力が下がると、ネットフィルタ８５ａ、プリーツフィルタ体７１ａおよび開口７０ａを介して吸気風路４６の圧力も下がる。吸気風路４６の圧力が下がると吸入口２７を介してバイパス風路１００の圧力も下がる。しかし、吸込管部３４の開口９８は切換弁１０１によって閉じられているので、バイパス風路１００の圧力が下がっても吸込風路４０の空気は吸い込まれない。このとき、開口９８は開かれているので、バイパス風路１００の圧力が下がると開口９８を経て吸込風路４０から空気が吸い込まれる。開閉弁８６ａは、集塵室８９側と、その背面との圧力差によって開かれる（図１６および図１７中、二点鎖線）。したがって、細塵導入口８３ａは、プリーツフィルタ体７１ａのろ過面と、集塵室８９とを連通させる。このときの空気の流れを、図１６および図１７中に、一点鎖線矢で示す。
【０１７４】
電気掃除機１Ａは、切スイッチ６ａが操作されてから所定の時間後に、電動送風機１２の運転を終了し、電気掃除機１を停止する。
【０１７５】
すなわち、本実施形態に係る電気掃除機１Ａは、掃除動作中には、塵埃分離集塵部１９の吸入口２７が開閉弁９４で閉塞されるので、電動送風機１２の出力を吸込口体８に効率的に伝えることができる。
【０１７６】
本実施形態の電気掃除機１Ｃによれば、ネットフィルタ８５およびプリーツフィルタ体７１の背面側からろ過面側に空気を通過させて、フィルタに付着した塵埃を除去できる。
【図面の簡単な説明】
【０１７７】
【図１】本発明の第１実施形態に係る電気掃除機の外観を示した斜視図。
【図２】本発明の第１実施形態に係る電気掃除機の掃除機本体の側面図。
【図３】本発明の第１実施形態に係る電気掃除機の掃除機本体を示した斜視図。
【図４】本発明の第１実施形態に係る電気掃除機の掃除機本体を示した平面図。
【図５】本発明の第１実施形態に係る電気掃除機の掃除機本体を部分的に示した縦断面図。
【図６】本発明の第１実施形態に係る電気掃除機の回転分離集塵部を分解して示した斜視図。
【図７】本発明の第１実施形態に係る電気掃除機の塵埃分離集塵部を示した横断面図。
【図８】本発明の第１実施形態に係る電気掃除機の塵埃分離集塵部を示した横断面図。
【図９】本発明の第１実施形態に係る電気掃除機の塵埃分離集塵部を示した横断面図。
【図１０】本発明の第２実施形態に係る電気掃除機の掃除機本体を示した平面図。
【図１１】本発明の第２実施形態に係る電気掃除機の掃除機本体を部分的に示した縦断面図。
【図１２】本発明の第２実施形態に係る電気掃除機の塵埃分離集塵部を示した横断面図。
【図１３】本発明の第３実施形態に係る電気掃除機の掃除機本体を示した平面図。
【図１４】本発明の第３実施形態に係る電気掃除機の掃除機本体を部分的に示した縦断面図。
【図１５】本発明の第３実施形態に係る電気掃除機の塵埃分離集塵部を示した横断面図。
【図１６】本発明の第４実施形態に係る電気掃除機の掃除機本体を部分的に示した縦断面図。
【図１７】本発明の第４実施形態に係る電気掃除機の塵埃分離集塵部を示した横断面図。
【符号の説明】
【０１７８】
１、１Ａ、１Ｂ、１Ｃ  電気掃除機
２  掃除機本体
２ａ  接続口
３  集塵ホース
４  手元操作管
５  把持部
６  操作部
６ａ  切スイッチ
６ｂ  起動スイッチ
７  延長管
８  吸込口体
１０  蓋ケース
１１  蓋ケースクランプ
１２  電動送風機
１３  電源コード
１４  電源プラグ
１６  後輪
１７  上部開口
１８  塵埃分離集塵部収容部
１９、１９Ａ、１９Ｂ、１９Ｃ  塵埃分離集塵部
２１  前壁部
２２  後壁部
２３  側壁部
２４  底面部
２６  側壁
２７  吸入口
２８  回転分離集塵部
２９  電動機
３０  ギアボックス
３１  歯車
３３、３３Ａ、３３Ｂ、３３Ｃ  筒カバー部
３４  吸込管部
３５  集塵部保持筒部
３６  吸排気管部
３８  底面部
４０  吸込風路
４２  開口
４３  開口端部
４５  側壁
４６  吸気風路
４７  排気風路
４９  開口端部
５１  区画リブ
５２  筒枠体部
５３  プリーツフィルタ筒部
５４  ネットフィルタ筒部
５５  集塵蓋部
５７  吸込側筒部
５８  挿入口
５９  リング部
６０  連結壁部
６２  底面部
６３  吸込口
６４  側面部
６６  ローラ収容部
６７  ローラ
６８  ヒンジ受部
７０、７０ａ、７０ｂ、７０ｃ、７０ｄ  開口
７１、７１ａ、７１ｂ、７１ｃ、７１ｄ  プリーツフィルタ体
７２  フィルタ枠体部
７３  側面部
７４  第１の環状板部
７５  第２の環状板部
７６  フィルタ支柱部
７８  係合凹部
７９  底面部
８０  吸込口
８１  側面部
８２  排気口
８３、８３ａ、８３ｂ、８３ｃ、８３ｄ  細塵導入口
８５、８５ａ、８５ｂ、８５ｃ、８５ｄ  ネットフィルタ
８６、８６ａ、８６ｂ、８６ｃ、８６ｄ  開閉弁
８９  集塵室
９０  連通路
９１  保持リブ
９２  連通路
９４  開閉弁
９５  開閉弁
９７  バイパス管
９８  開口
９９  ネットフィルタ
１００  バイパス風路
１０１  切換弁
【図１】
2010063817.tif 000003
【図２】
2010063817.tif 000004
【図３】
2010063817.tif 000005
【図４】
2010063817.tif 000006
【図５】
2010063817.tif 000007
【図６】
2010063817.tif 000008
【図７】
2010063817.tif 000009
【図８】
2010063817.tif 000010
【図９】
2010063817.tif 000011
【図１０】
2010063817.tif 000012
【図１１】
2010063817.tif 000013
【図１２】
2010063817.tif 000014
【図１３】
2010063817.tif 000015
【図１４】
2010063817.tif 000016
【図１５】
2010063817.tif 000017
【図１６】
2010063817.tif 000018
【図１７】
2010063817.tif 000019